【手続補正書】
【提出日】平成20年5月16日(2008.5.16)
【手続補正１】
【補正対象書類名】明細書
【補正対象項目名】特許請求の範囲
【補正方法】変更
【補正の内容】
【特許請求の範囲】
【請求項1】
デジタルコンテンツが記録された光ディスクであって、
前記光ディスクは、第1ディレクトリと第2ディレクトリとを含み、
前記第1ディレクトリは、民生用再生装置によって再生可能なメッセージデータを含み、
前記第2ディレクトリは、前記民生用再生装置では復号化できず、かつ、業務用再生装置では復号化できるように暗号化されたデジタルコンテンツを含み、
前記メッセージデータは、警告メッセージを含み、
前記第1ディレクトリのディレクトリ名は、前記民生用再生装置向けの光ディスク記録方式においてデジタルコンテンツを含むように取り決められているディレクトリのディレクトリ名と同一であり、
前記第2ディレクトリのディレクトリ名は、前記第1ディレクトリのディレクトリ名と異なる
ことを特徴とする光ディスク。
【請求項2】
前記民生用再生装置向けの光ディスク記録方式では、
デジタルコンテンツを含むディレクトリはタイトルセットを意味するディレクトリ名をもつこと、および、前記民生用再生装置は前記タイトルセットを意味するディレクトリ名をもつディレクトリにアクセスを行うことが取り決められており、
前記第1ディレクトリのディレクトリ名は、前記タイトルセットを意味するディレクトリ名である 
ことを特徴とする請求項1に記載の光ディスク。
【請求項3】
前記業務用再生装置は、それぞれ固有のデバイス鍵を保持しており、
前記第2ディレクトリは、
前記デバイス鍵を用いて暗号化されたコンテンツ鍵と、
前記コンテンツ鍵を用いて暗号化されたデジタルコンテンツとを含む
ことを特徴とする請求項1に記載の光ディスク。
【請求項4】
光ディスクにデジタルコンテンツを記録する記録装置であって、
前記光ディスクに、第1ディレクトリを生成する第1生成手段と、
前記光ディスクに、第2ディレクトリを生成する第2生成手段と、
前記第1ディレクトリに、民生用再生装置によって再生可能なメッセージデータを記録するメッセージデータ記録手段と、
前記第2ディレクトリに、前記民生用再生装置では復号化できず、かつ、業務用再生装置では復号化できるよう暗号化されたデジタルコンテンツを記録するコンテンツ記録手段とを備え、
前記メッセージデータは、警告メッセージを含み、
前記第1ディレクトリのディレクトリ名は、前記民生用再生装置向けの光ディスク記録方式においてデジタルコンテンツを含むように取り決められているディレクトリのディレクトリ名と同一であり、
前記第2ディレクトリのディレクトリ名は、前記第1ディレクトリのディレクトリ名と異なる
ことを特徴とする記録装置。
【請求項5】
前記民生用再生装置向けの光ディスク記録方式では、
デジタルコンテンツを含むディレクトリはタイトルセットを意味するディレクトリ名をもつこと、および、前記民生用再生装置は前記タイトルセットを意味するディレクトリ名をもつディレクトリにアクセスを行うことが取り決められており、
前記第1ディレクトリのディレクトリ名は、前記タイトルセットを意味するディレクトリ名である 
ことを特徴とする請求項4に記載の記録装置。
【請求項6】
前記業務用再生装置は、それぞれ固有のデバイス鍵を保持しており、
前記記録装置は、さらに、
前記デジタルコンテンツをコンテンツ鍵を用いて暗号化するコンテンツ暗号化手段と、
前記コンテンツ鍵を前記デバイス鍵を用いて暗号化するコンテンツ鍵暗号化手段とを備え、
前記コンテンツ記録手段は、さらに、前記コンテンツ鍵暗号化手段によって暗号化されたコンテンツ鍵を、前記第2ディレクトリに記録する
ことを特徴とする請求項4に記載の記録装置。
【請求項7】
光ディスクにデジタルコンテンツを記録する記録装置で用いられる記録方法であって、
前記光ディスクに、第1ディレクトリを生成する第1生成ステップと、
前記光ディスクに、第2ディレクトリを生成する第2生成ステップと、
前記第1ディレクトリに、民生用再生装置によって再生可能なメッセージデータを記録するメッセージデータ記録ステップと、
前記第2ディレクトリに、前記民生用再生装置では復号化できず、かつ、業務用再生装置では復号化できるよう暗号化されたデジタルコンテンツを記録するコンテンツ記録ステップとを含み、
前記メッセージデータは、警告メッセージを含み、
前記第1ディレクトリのディレクトリ名は、前記民生用再生装置向けの光ディスク記録方式においてデジタルコンテンツを含むように取り決められているディレクトリのディレクトリ名と同一であり、
前記第2ディレクトリのディレクトリ名は、前記第1ディレクトリのディレクトリ名と異なる
ことを特徴とする記録方法。
【請求項8】
光ディスクにデジタルコンテンツを記録する記録装置の制御をコンピュータに実行させる記録プログラムであって、
前記光ディスクに、第1ディレクトリを生成する第1生成ステップと、
前記光ディスクに、第2ディレクトリを生成する第2生成ステップと、
前記第1ディレクトリに、民生用再生装置によって再生可能なメッセージデータを記録するメッセージデータ記録ステップと、
前記第2ディレクトリに、前記民生用再生装置では復号化できず、かつ、業務用再生装置では復号化できるよう暗号化されたデジタルコンテンツを記録するコンテンツ記録ステップとをコンピュータに実行させ、
前記メッセージデータは、警告メッセージを含み、
前記第1ディレクトリのディレクトリ名は、前記民生用再生装置向けの光ディスク記録方式においてデジタルコンテンツを含むように取り決められているディレクトリのディレクトリ名と同一であり、
前記第2ディレクトリのディレクトリ名は、前記第1ディレクトリのディレクトリ名と異なる
ことを特徴とする記録プログラム。
【請求項9】
光ディスクを再生する再生方法であって、
前記光ディスクは、第1ディレクトリと第2ディレクトリとを含み、
前記第1ディレクトリは、民生用再生装置によって再生可能なメッセージデータを含み、
前記第2ディレクトリは、前記民生用再生装置では復号化できず、かつ、業務用再生装置では復号化できるように暗号化されたデジタルコンテンツを含み、
前記メッセージデータは、警告メッセージを含み、
前記第1ディレクトリのディレクトリ名は、前記民生用再生装置向けの光ディスク記録方式においてデジタルコンテンツを含むように取り決められているディレクトリのディレクトリ名と同一であり、
前記第2ディレクトリのディレクトリ名は、前記第1ディレクトリのディレクトリ名と異なり、
前記光ディスクが前記民生用再生装置に装填された場合に、前記第1ディレクトリから、前記メッセージデータを読み出すメッセージデータ読出ステップと、
前記メッセージデータを前記民生用再生装置によって再生するメッセージデータ再生ステップと、
前記光ディスクが前記業務用再生装置に装填された場合に、前記第2ディレクトリから、前記暗号化されたデジタルコンテンツを読み出すコンテンツ読出ステップと、
前記暗号化されたデジタルコンテンツを復号化し、前記業務用再生装置によって再生するコンテンツ再生ステップとを含む
ことを特徴とする再生方法。
【手続補正２】
【補正対象書類名】明細書
【補正対象項目名】０００６
【補正方法】変更
【補正の内容】
【０００６】
上記課題を解決するための本発明は、デジタルコンテンツが記録された光ディスクであって、前記光ディスクは、第1ディレクトリと第2ディレクトリとを含み、前記第1ディレクトリは、民生用再生装置によって再生可能なメッセージデータを含み、前記第2ディレクトリは、前記民生用再生装置では復号化できず、かつ、業務用再生装置では復号化できるように暗号化されたデジタルコンテンツを含み、前記メッセージデータは、警告メッセージを含み、前記第1ディレクトリのディレクトリ名は、前記民生用再生装置向けの光ディスク記録方式においてデジタルコンテンツを含むように取り決められているディレクトリのディレクトリ名と同一であり、前記第2ディレクトリのディレクトリ名は、前記第1ディレクトリのディレクトリ名と異なることを特徴とする光ディスクである。